(57)【要約】【課題】効率的に稼動させることのできる画像形成装置を提供する。【解決手段】第１軸に給紙トレイ毎のトレイ情報、第２軸にジョブの実行予定時間又は用紙の使用予定枚数を示す二次元の表上にジョブの予約情報を表示したジョブスケジューリング画面を表示する制御部１０１と、設定変更画面の表示を指示する第１操作部５０４と、設定変更画面にてトレイ情報の設定変更を指示する第２操作部５０２とを備え、制御部１０１は、各ジョブの設定情報に基づいて使用するトレイを特定し、特定したトレイに対応する第１軸上の位置であって各ジョブの実行予定時間又は用紙の使用予定枚数に相当する長さ分の第２軸上の位置に、予約情報を表示するとともに、第１操作部５０４が操作された場合設定変更画面を表示部５０１に表示し、第２操作部５０２によりトレイ情報の設定変更の指示がなされた場合トレイ情報の設定変更を行う。【選択図】図２
2010046839.tif 000002
【特許請求の範囲】
【請求項１】
複数のジョブを予約可能な予約部と、当該予約部により予約されたジョブに応じて、画像形成処理を実行する画像形成部と、を備える画像形成装置において、
複数の給紙トレイと、
第１軸に前記給紙トレイ毎のトレイ情報、第２軸にジョブの実行予定時間又は用紙の使用予定枚数を示す二次元の表上に、予約された各ジョブの予約情報を表示したジョブスケジューリング画面を、表示部に表示する制御部と、
前記ジョブスケジューリング画面を前記表示部に表示した状態で、前記トレイ情報の設定を変更するための設定変更画面の表示を指示する第１操作部と、
前記設定変更画面にて前記トレイ情報の設定変更を指示する第２操作部と、
を備え、
前記制御部は、予約された各ジョブの設定情報に基づいて、各ジョブの使用するトレイを特定し、特定したトレイに対応する第１軸上の位置であって、各ジョブの実行予定時間又は用紙の使用予定枚数に相当する長さ分の第２軸上の位置に、前記予約情報を表示するとともに、前記第１操作部が操作された場合、前記設定変更画面を前記表示部に表示し、前記第２操作部により前記トレイ情報の設定変更の指示がなされた場合に、前記トレイ情報の設定変更を行うことを特徴とする画像形成装置。
【請求項２】
前記トレイ情報は、前記給紙トレイに収納された用紙の種類、サイズ、坪量、残量のうち少なくとも１つからなることを特徴とする請求項１に記載の画像形成装置。
【請求項３】
前記ジョブスケジューリング画面は、前記第１軸にジョブの設定情報に一致する前記トレイが無いジョブの予約情報を表示する表示欄を備え、
前記制御部は、ジョブの設定情報に一致する前記トレイ情報が無いジョブの予約情報を、前記表示欄に表示することを特徴とする請求項１又は２に記載の画像形成装置。
【請求項４】
前記制御部は、前記複数のジョブの予約情報を表示する際、前記第２軸の原点を現時点とし、各ジョブの実行予約順に、各ジョブの設定情報に一致する前記トレイ情報と対応する位置に、該当する予約情報を表示することを特徴とする請求項１〜３のいずれか一項に記載の画像形成装置。
【請求項５】
前記制御部は、所定の更新タイミングに、前記第２軸の原点を現時点として、前記ジョブスケジューリング画面における前記予約情報の表示位置を更新することを特徴とする請求項１〜４のいずれかに記載の画像形成装置。
【請求項６】
前記所定の更新タイミングは、
前記トレイ情報の設定変更をしたとき、所定枚の用紙に対する画像形成処理が終了したとき、前回の更新タイミングから所定時間が経過したときの何れかであることを特徴とする請求項５に記載の画像形成装置。
【請求項７】
前記給紙トレイ内に収納された用紙の残量を検出する残量検出部を備え、
前記制御部は、前記残量検出部により検出された残量が前記ジョブの使用予定枚数に満たない場合に、前記ジョブスケジューリング画面における当該ジョブの前記予約情報において、当該予約情報の表示領域のうち、用紙の不足量に相当する前記第２軸方向の長さ分の表示領域の表示を、他の表示領域の表示と異ならせることにより、用紙の不足量を表示することを特徴とする請求項１〜６のいずれか一項に記載の画像形成装置。
【発明の詳細な説明】
【技術分野】
【０００１】
本発明は、画像形成装置に関する。
【背景技術】
【０００２】
プリンタ、複写機、スキャナ又はこれらの複合機等の画像形成装置では、ジョブと呼ばれる画像処理要求に応じて画像形成処理を実行する。このような画像形成装置として、複数のジョブを予約可能であり、予約された複数のジョブを順に連続して実行する画像形成装置が広く利用されている。
【０００３】
従来、上記のような複数のジョブを予約可能な画像形成装置において、実行中のジョブを含む予約された複数のジョブの設定情報が、実行予約順に一覧表示されたジョブリスト画面を表示させる技術が知られている。
図８に、このジョブリスト画面の一例を示す。図８のジョブリスト画面では、ユーザはジョブの実行順序や、各ジョブについての用紙使用予定枚数や出力所要時間等を得ることができる。
また、上記のような画像形成装置において、給紙トレイに収納された用紙の種類、坪量、残量等が、給紙トレイ毎に一覧表示された用紙トレイ画面を表示させる技術が知られている。
図９に、この用紙トレイ画面の一例を示す。図９の用紙トレイ画面Ｓでは、ユーザは各給紙トレイ毎に収納された用紙の種類、坪量、残量等のトレイ情報を得ることができる。
【０００４】
しかしながら、図８や図９の画面では、各ジョブと、各ジョブで使用する用紙とが関連づけて表示されておらず、ジョブを順次実行した場合にどの用紙がいつ不足し、どのタイミングで用紙を補充すべきかを把握することができないため、何れかのジョブの実行中に、用紙が不足して給紙不可能となった場合には、その時点で画像形成処理が停止してしまうこととなる。よって、画像形成処理が停止してしまう事態を避けるためには、常時オペレータが装置を監視しなければならず、手間がかかるという問題があった。
また、各給紙トレイの設定変更を行うためには、設定変更を行うための専用の設定変更画面（図示省略）を表示させて行う必要があり、複数のジョブの実行に合わせて給紙トレイの設定変更を行う場合、上記図８や図９を確認し、さらに別の操作画面に移行させた後、設定変更画面の表示指示を行わなければならないため、設定変更のための手間がかかるという問題があった。
【０００５】
そこで上記のような画像形成装置において、当該画像形成装置の複数の給紙トレイに収納された一連の用紙種類と、実行時間とを軸とした二次元の表上に、予約された複数のジョブを実行予約順序に用紙種類と対応させて表示することのできる技術が提案されている（例えば、特許文献１参照。）。
【特許文献１】特開２００４−３４８７１３号公報
【発明の開示】
【発明が解決しようとする課題】
【０００６】
しかしながら、特許文献１の表示方法は、各用紙がどの給紙トレイに収納されているのかの把握はできないものであった。従って、複数のジョブの実行に際して各給紙トレイをどのように設定すればよいか、給紙トレイに用紙補充が必要か等を、事前に一目で認識することができないため、用紙の補充等の給紙トレイの設定変更を迅速に行うことができず、効率が悪いという問題があった。
【０００７】
本発明の課題は、給紙トレイと、各給紙トレイ毎のトレイ情報と、予約された複数のジョブとを関連させて表示することで給紙トレイの設定変更の要否を一目で認識し、給紙トレイの設定変更を迅速に行って効率よく稼働させることのできる画像形成装置を提供することである。
【課題を解決するための手段】
【０００８】
請求項１に記載の発明は、
複数のジョブを予約可能な予約部と、当該予約部により予約されたジョブに応じて、画像形成処理を実行する画像形成部と、を備える画像形成装置において、
複数の給紙トレイと、
第１軸に前記給紙トレイ毎のトレイ情報、第２軸にジョブの実行予定時間又は用紙の使用予定枚数を示す二次元の表上に、予約された各ジョブの予約情報を表示したジョブスケジューリング画面を、表示部に表示する制御部と、
前記ジョブスケジューリング画面を前記表示部に表示した状態で、前記トレイ情報の設定を変更するための設定変更画面の表示を指示する第１操作部と、
前記設定変更画面にて前記トレイ情報の設定変更を指示する第２操作部と、
を備え、
前記制御部は、予約された各ジョブの設定情報に基づいて、各ジョブの使用するトレイを特定し、特定したトレイに対応する第１軸上の位置であって、各ジョブの実行予定時間又は用紙の使用予定枚数に相当する長さ分の第２軸上の位置に、前記予約情報を表示するとともに、前記第１操作部が操作された場合、前記設定変更画面を前記表示部に表示し、前記第２操作部により前記トレイ情報の設定変更の指示がなされた場合に、前記トレイ情報の設定変更を行うことを特徴とする。
【０００９】
また、請求項２に記載の発明は、請求項１に記載の画像形成装置において、
前記トレイ情報は、前記給紙トレイに収納された用紙の種類、サイズ、坪量、残量のうち少なくとも１つからなることを特徴とする。
【００１０】
また、請求項３に記載の発明は、請求項１又は２に記載の画像形成装置において、
前記ジョブスケジューリング画面は、前記第１軸にジョブの設定情報に一致する前記トレイが無いジョブの予約情報を表示する表示欄を備え、
前記制御部は、ジョブの設定情報に一致する前記トレイ情報が無いジョブの予約情報を、前記表示欄に表示することを特徴とする。
【００１１】
また、請求項４に記載の発明は、請求項１〜３のいずれか一項に記載の画像形成装置において、
前記制御部は、前記複数のジョブの予約情報を表示する際、前記第２軸の原点を現時点とし、各ジョブの実行予約順に、各ジョブの設定情報に一致する前記トレイ情報と対応する位置に、該当する予約情報を表示することを特徴とする。
【００１２】
また、請求項５に記載の発明は、請求項１〜４のいずれかに記載の画像形成装置において、
前記制御部は、所定の更新タイミングに、前記第２軸の原点を現時点として、前記ジョブスケジューリング画面における前記予約情報の表示位置を更新することを特徴とする。
【００１３】
また、請求項６に記載の発明は、請求項５に記載の画像形成装置において、
前記所定の更新タイミングは、
前記トレイ情報の設定変更をしたとき、所定枚の用紙に対する画像形成処理が終了したとき、前回の更新タイミングから所定時間が経過したときの何れかであることを特徴とする。
【００１４】
また、請求項７に記載の発明は、請求項１〜６のいずれか一項に記載の画像形成装置において、
前記給紙トレイ内に収納された用紙の残量を検出する残量検出部を備え、
前記制御部は、前記残量検出部により検出された残量が前記ジョブの使用予定枚数に満たない場合に、前記ジョブスケジューリング画面における当該ジョブの前記予約情報において、当該予約情報の表示領域のうち、用紙の不足量に相当する前記第２軸方向の長さ分の表示領域の表示を、他の表示領域の表示と異ならせることにより、用紙の不足量を表示することを特徴とする。
【発明の効果】
【００１５】
請求項１に記載の発明によれば、給紙トレイと給紙トレイ毎のトレイ情報とジョブとの関係を一目で把握可能に表示させることで、給紙トレイの設定を事前に把握できるとともに、ジョブスケジューリング画面上で給紙トレイの設定変更画面の表示指示ができるため、給紙トレイの設定変更を迅速に行うことができ、装置を効率よく稼働させることができる。
【００１６】
請求項２に記載の発明によれば、設定変更画面において、給紙トレイに収納された用紙の種類、サイズ、坪量、及び残量を含むトレイ情報の設定を変更することができる。
【００１７】
請求項３に記載の発明によれば、ジョブスケジューリング画面において、使用予定のトレイ情報と一致するトレイ情報が存在しないジョブが存在するのを認識することができる。
【００１８】
請求項４に記載の発明によれば、ジョブスケジューリング画面において、複数のジョブの実行順序と、各ジョブで使用する用紙と、その用紙の収納された給紙トレイとを一目で把握することができる。
【００１９】
請求項５に記載の発明によれば、所定の更新タイミング毎に、複数のジョブの実行順序と、各ジョブで使用する用紙と、その用紙の収納された給紙トレイとの関係を把握できる。
【００２０】
請求項６に記載の発明によれば、トレイ情報の設定変更を行う度、所定枚の用紙に対する画像形成処理を行う度、又は所定時間が経過する度に、複数のジョブの実行順序と、各ジョブで使用する用紙と、その用紙の収納された給紙トレイとの関係を把握できる。
【００２１】
請求項７に記載の発明によれば、予約されたジョブ毎に、使用する用紙の不足量を把握できる。
【発明を実施するための最良の形態】
【００２２】
以下、本発明に係る画像形成装置の一実施形態について、図面を参照して説明する。ただし、発明の範囲は図示例に限定されない。
【００２３】
図１は、本実施形態の画像形成装置１の概略構成を示す正面図である。
図１に示すように、本実施形態に係る画像形成装置１は、本体部１０と、これにオプション接続された大容量トレイユニット２０及び後処理部３０と、を備えて構成される。
【００２４】
本体部１０は、スキャナ部２００、自動原稿給紙部（ＡＤＦ：Auto Document Feeder）３００、操作表示部５００、画像形成部６００、を備える。すなわち、本実施形態に係る画像形成装置１は、スキャナ機能、コピー機能、プリンタ機能を備えた、いわゆるディジタル複合機である。
【００２５】
また、本体部１０は、印字用紙用のトレイである３つの給紙トレイＦＴ１〜ＦＴ３を備えており、印字用の用紙を収納している。各給紙トレイＦＴ１〜ＦＴ３の近傍には、後述する検出センサＤ・・・が設けられている。
【００２６】
大容量トレイユニット２０は、印字用紙用のトレイである給紙トレイＦＴ４〜ＦＴ９を備えており、印字用の用紙を収納している。各給紙トレイＦＴ４〜ＦＴ９の近傍には、後述する検出センサＤ・・・が設けられている。
【００２７】
後処理部３０は、本体部１０から搬送された用紙に各種後処理を行う、いわゆるフィニッシャーである。例えば、本体部１０から搬送された用紙のソート処理を行うソートユニット、パンチ処理を行うパンチユニット、折り処理を行う折ユニット、断裁処理を行う断裁ユニット等を備える。後処理部３０の左側には、搬送された用紙が排紙される排紙トレイＥＴ１、ＥＴ２が設けられており、搬送された用紙が排紙される。
【００２８】
また、後処理部３０の上部には、挿入用紙用のトレイである２つのポストインサータ上段ＰＩ１、下段ＰＩ２が設けられており、ユーザのニーズに合わせて様々な種類の用紙を積載して給紙可能となっている。
例えば、何れかのポストインサータＰＩ１、ＰＩ２に、用紙片の一部に突出したタブ部を有するタブ紙や異なる配色を施されたカラーシート、すでに画像形成された用紙（以下、タブ紙等と称する）等を載置し、ジョブの設定に従って給紙することにより、本体部１０から搬送された複数の印字用の用紙間に、これらの用紙を挿入することができる。
【００２９】
画像形成処理において、例えば、ＡＤＦ部３００の原稿トレイに載置された原稿は、スキャナ部２００の読取箇所であるコンタクトガラスに搬送され、スキャナ部２００の光学系により原稿の画像が読み取られる。ここで、画像とは、図形や写真等のイメージデータに限らず、文字や記号等のテキストデータ等も含む。
スキャナ部２００により読み取られた画像（アナログ画像信号）は、後述する状態管理部１００に出力され、状態管理部１００においてＡ／Ｄ変換され、各種画像処理が施された後、画像形成部６００に出力される。そして、画像形成部６００において、本体部１０又は大容量トレイユニット２０に備わる何れかの給紙トレイＦＴ１〜ＦＴ９から給紙された用紙上に、ディジタル画像データに基づく画像が形成される。
画像形成された用紙は、画像形成部６００内の搬送部６１０により後処理部３０に搬送され、後処理部３０の後処理機構により所定の後処理を施された後、排紙トレイＥＴ１、ＥＴ２の何れかに排紙される。
【００３０】
なお、給紙トレイＦＴ１〜ＦＴ９、ポストインサータＰＩ１、ＰＩ２、排紙トレイＥＴ１、ＥＴ２の形態は、図１に例示したものに限定されず、例えば、その数は図示したものより多くても少なくてもよい。
【００３１】
図２は、画像形成装置１の機能的構成を示すブロック図である。
本体部１０は、状態管理部１００と、スキャナ部２００と、ＡＤＦ部３００と、プリントコントローラ４００と、給紙トレイＦＴ１〜ＦＴ３と、検出センサＤ・・・と、操作表示部５００と、画像形成部６００と、を備えて構成される。
【００３２】
状態管理部１００は、制御部１０１、プログラムメモリ（ＲＯＭ：Read Only Memory）１０２、システムメモリ（ＲＡＭ：Random Access Memory）１０３、不揮発メモリ１０４、読み取り処理部１０５、書き込み処理部１０６、ＤＲＡＭ（Dynamic Random Access Memory）制御ＩＣ１０７、圧縮・伸長ＩＣ１０８及び画像メモリ１０９を備えて構成される。
【００３３】
制御部１０１は、例えば、ＣＰＵ（Central Processing Unit）等により構成され、ＲＯＭに記憶されているシステムプログラムや画像形成処理プログラム、後処理処理プログラム等の各種処理プログラムを読み出してＲＡＭに展開し、展開したプログラムに従って画像形成装置１の各部の動作を集中制御する。
【００３４】
具体的には、制御部１０１は、後述するジョブ予約画面において予約されたジョブの設定情報を、不揮発メモリ１０４に格納する。制御部１０１は、不揮発メモリ１０４に格納されたこのジョブの設定情報に基づいて、画像形成部６００による画像形成処理を実行する。ジョブとは、画像形成に関する一連の動作を指し、例えば、複数枚の原稿をコピーする場合には、複数枚の原稿のコピーに関する一連の動作が１ジョブである。また、複数部数のコピーを行う場合は、複数部数分のコピーに関する一連の動作が１ジョブである。
ここで、本実施形態の画像形成装置１は、複数のジョブを予約可能となっており、制御部１０１は、予約されたジョブに応じた画像形成処理を、ジョブの実行予約順に実行する。
【００３５】
また、制御部１０１は、後述するように、予約された複数のジョブの設定情報に基づいて、予約された複数のジョブの予約情報Ｒｎを示すジョブスケジューリング画面Ｇ１（図４参照）を、表示部５０１に表示する制御を実行する。
また、制御部１０１は、所定の更新タイミングに、ジョブスケジューリング画面Ｇ１における予約情報Ｒｎの表示位置を更新する制御を実行する。
また、制御部１０１は、タッチパネル５０２の操作に応じて、後述する設定変更画面Ｇ２（図５参照）を表示部５０１に表示するとともに、トレイ情報の設定変更を行う制御を実行する。
【００３６】
ＲＯＭ１０２は、半導体等の不揮発メモリ等により構成され、画像形成装置１に対応するシステムプログラム及び該システムプログラム上で実行可能な画像形成処理プログラム、後処理プログラム等の各種処理プログラム等を記憶する。これらのプログラムは、コンピュータが読み取り可能なプログラムコードの形態で格納され、制御部１０１は、当該プログラムコードに従った動作を逐次実行する。
【００３７】
ＲＡＭ１０３は、制御部１０１により実行される各種プログラム及びこれらプログラムに係るデータを一時的に記憶するワークエリアを形成し、実行中のジョブの設定情報等を記憶する。
【００３８】
不揮発メモリ１０４は、画像形成装置１に係る各種設定データ等を記憶する。
具体的には、不揮発メモリ１０４は、後述するジョブ予約画面において入力されたジョブの設定情報を記憶する。
また、不揮発メモリ１０４は、後述するトレイ情報テーブル１０４ａを備え、給紙トレイＦＴ１〜ＦＴ９毎のトレイ情報を記憶する。
また、不揮発メモリ１０４は、後述するように、ユーザにより設定された更新タイミングに関する情報を記憶する。
【００３９】
読み取り処理部１０５は、スキャナ部２００から入力されたアナログ画像信号に、アナログ信号処理、Ａ／Ｄ変換処理、シェーディング処理等の各種処理を施し、ディジタル画像データを生成し、ＤＲＡＭ制御ＩＣ１０７へ出力する。
書き込み処理部１０６は、圧縮・伸長ＩＣ１０８から入力される画像データに基づくＰＷＭ(Pulse Width Modulation)信号を生成し、画像形成部６００へ出力する。
【００４０】
ＤＲＡＭ制御ＩＣ１０７は、制御部１０１からの制御に基づいて、圧縮・伸長ＩＣ１０８の圧縮・伸長処理を制御するとともに、画像メモリ１０９における画像データの入出力制御を行う。
具体的には、読み取り処理部１０５から入力されたディジタル画像データ、又はプリントコントローラ４００から入力された画像データを圧縮・伸長ＩＣ１０８により圧縮させ、圧縮された画像データを画像メモリ１０９の圧縮メモリ１０９ａに書き込んで一時的に記憶させる。また、画像メモリ１０９に記憶されている画像データを圧縮・伸長ＩＣ１０８により伸長させ、書き込み処理部１０６に出力する。この際、制御部１０１から合成処理を施す旨の制御信号が出力された場合には、ＤＲＡＭ制御ＩＣ１０７は、画像データを圧縮・伸長ＩＣ１０８により伸長させてから、不揮発メモリ１０４内の固有の画像データを重ね書きして、書き込み処理部１０６に出力する。
また、ＤＲＡＭ制御ＩＣ１０７は、プリントコントローラ４００から入力された制御データを制御部１０１に出力する。
【００４１】
圧縮・伸長ＩＣ１０８は、ＤＲＡＭ制御ＩＣ１０７の制御により画像データの圧縮処理、伸長処理を行う。
画像メモリ１０９は、例えば、ＤＲＡＭで構成される圧縮メモリ１０９ａ、ページメモリ１０９ｂを有する。圧縮メモリ１０９ａは、例えば、ＤＲＡＭ制御ＩＣ１０７から入力される制御信号に従って、圧縮・伸長ＩＣ１０８で圧縮されたジョブファイルを一時的に記憶する。ページメモリ１０９ｂは、例えば、印刷出力前にプリント出力対象の非圧縮のジョブファイルを一時的に記憶する。
【００４２】
スキャナ部２００は、ＣＣＤ２０１等のイメージセンサと、スキャナ制御部２０１と、を備えて構成される。スキャナ制御部２０１は、制御部１０１からの制御信号に基づいて、スキャナ部２００の各部を駆動制御する。具体的には、コンタクトガラスに載置された原稿面の露光走査を実行させ、反射光をＣＣＤ２０１において結像させて画像を読み取る。そして、この結像された光信号を光電変換してアナログ画像信号を生成させ、読み取り処理部１０５へ出力する。
【００４３】
ＡＤＦ部３００は、制御部１０１からの制御信号に基づいて、ＡＤＦ部３００の制御を行うＡＤＦ制御部３０１を備え、原稿トレイに載置された原稿をスキャナ部２００のコンタクトガラス上に１枚ずつ自動給送する。
【００４４】
給紙トレイＦＴ１〜ＦＴ９は、印字用の用紙を収納するトレイであり、各種の紙種・用紙サイズ・坪量の用紙を収納している。
ここで、各給紙トレイＦＴ１〜ＦＴ９のそれぞれは、予め設定された紙種・用紙サイズ・坪量の用紙を収納するようになっている。
また、各給紙トレイＦＴ１〜ＦＴ９、ポストインサータＰＩ１、ＰＩ２に収納される用紙の紙種・用紙サイズ・坪量・用紙残量に関する情報は、各給紙トレイ毎のトレイ情報として、トレイ情報テーブル１０４ａに記憶されている。
【００４５】
図３に、トレイ情報テーブル１０４ａを示す。
図３に示すように、トレイ情報テーブル１０４ａは、給紙トレイ（給紙トレイＦＴ１〜ＦＴ９、ポストインサータＰＩ１、ＰＩ２）毎のトレイ情報を記憶している。このように、トレイ情報テーブル１０４ａにおいて、給紙トレイ毎のトレイ情報が記憶されることにより、各給紙トレイに収納される用紙が設定されることとなる。
【００４６】
図３において、例えば、給紙トレイＦＴ１は、紙種「普通紙」、用紙サイズ「Ａ４」、坪量「６２−７１ｇ／ｍ2」の用紙を収納する設定とされ、用紙残量は「１７００枚」である。また、例えば、給紙トレイＦＴ２は、紙種「上質紙」・用紙サイズ「Ａ３」、坪量「５０−６１ｇ／ｍ2」の用紙を収納する設定とされ、用紙残量は「１３０枚」である。
また、図３のトレイ情報テーブル１０４ａでは、各給紙トレイＦＴ１〜ＦＴ９とポストインサータＰＩ１、ＰＩ２に「普通紙・Ａ４・６２−７１ｇ／ｍ2」の用紙、「普通紙・Ａ４・５０−６１ｇ／ｍ2」の用紙、「上質紙・Ａ３・５０−６１ｇ／ｍ2」の用紙、「○○特別紙・Ａ４・６２−７１ｇ／ｍ2」の用紙のうちの何れかの用紙を収納する設定となっている。すなわち、これら以外の用紙は、この画像形成装置１では使用不可能となっている。
【００４７】
検出センサＤ・・・は、前述のように各給紙トレイＦＴ１〜ＦＴ９の近傍に設けられており、残量検出部として、各給紙トレイＦＴ１〜ＦＴ９内に収納された用紙の用紙サイズ、重量を検出し、これにより用紙残量を検出する。
検出センサＤ・・・により検出された各給紙トレイＦＴ１〜ＦＴ９の用紙サイズや用紙残量は、制御部１０１に出力され、予め設定された紙種とともに、上記したように、トレイ情報として、不揮発メモリ１０４のトレイ情報テーブル１０４ａに記憶される。
【００４８】
プリンタコントローラ４００は、コントローラ制御部４０１、ＤＲＡＭ制御ＩＣ４０２、画像メモリ４０３、ＬＡＮＩＦ４０４等を備えて構成され、画像形成装置１をネットワークプリンタとして使用する場合に、ネットワークに接続される外部装置から画像形成装置１に入力されるジョブの管理及び制御を行うものである。
具体的には、プリントコントローラ４００は、予約部として、後述するジョブの設定情報を含むデータを外部装置から受信し、当該データを本体部１０へ送信する。プリンタコントローラ４００から本体部１０に送信されたジョブの設定情報は、その他、モード、ユーザ名、ファイル名、後処理モード、排紙トレイＥＴ１、ＥＴ２等の情報とともに、制御部１０１に出力され、不揮発メモリ１０４に実行予約順とともに格納されることとなる。
【００４９】
コントローラ制御部４０１は、プリントコントローラ４００の各部の動作を統括的に制御する。また、コントローラ制御部４０１は、ＬＡＮＩＦ４０４を介して外部装置から入力される印刷データを所定のページ記述言語によって画像形成装置１で印刷可能なデータ形式の画像データに変換し、外部装置から入力されるジョブの情報とともにＤＲＡＭ制御ＩＣ４０２に出力する。
【００５０】
ＤＲＡＭ制御ＩＣ４０２は、ＬＡＮＩＦ４０４により受信されたジョブの情報及び印刷データをコントローラ制御部４０１に出力するとともに、コントローラ制御部４０１からの指示に従って、コントローラ制御部４０１から入力されたジョブの設定情報及び画像データを画像メモリ４０３へ一時的に格納する制御を行う。また、ＤＲＡＭ制御ＩＣ４０２は、制御部１０１のＤＲＡＭ制御ＩＣ１０７とＰＣＩ（Peripheral Components Interconnect）バスで接続されており、コントローラ制御部４０１からの指示に従って、画像メモリ４０３からジョブの設定情報や画像データを読み出してＤＲＡＭ制御ＩＣ４０２に出力する。
【００５１】
画像メモリ４０３は、例えば、ＤＲＡＭから構成され、入力されたデータを一時的に格納する。
【００５２】
ＬＡＮＩＦ４０４は、例えば、ＮＩＣ（Network Interface Card）等により構成され、通信ネットワークＮに接続された外部装置とジョブの情報、印刷データ、ＦＡＸの画像データを始めとするデータ送受信を行う。外部装置から受信されたジョブの情報、印刷データ、画像データは、ＤＲＡＭ制御ＩＣ４０２に出力される。
【００５３】
操作表示部５００は、表示部５０１、表示部５０１に一体的に備わるタッチパネル５０２、操作表示制御部５０３、図示しないその他の操作キー群を備えて構成される。
【００５４】
表示部５０１は、例えば、ＬＣＤ（Liquid Crystal Display）により構成され、操作表示制御部５０３からの表示制御信号に従って、画面上に各種設定画面や画像の状態表示、各機能の動作状況等の表示を行う。
また、表示部５０１の画面上には、透明電極を格子状に配置した感圧式（抵抗膜圧式）のタッチパネル５０２が構成されており、手指やタッチペン等で操作された力点のＸＹ座標を電圧値で検出し、検出された位置信号を操作信号として操作表示制御部５０３に出力する。
【００５５】
操作表示制御部５０３は、制御部１０１からの制御信号に基づいて、表示部５０１における表示制御を行う。具体的には、操作表示制御部５０３は、ジョブを予約するためのジョブ予約画面や、後述するジョブの予約情報Ｒｎを示すジョブスケジューリング画面Ｇ１、設定変更画面Ｇ２、各種設定画面、各種処理結果等を表示部５０１に表示する。また、操作表示制御部５０３は、表示部５０１上のタッチパネル５０２又は操作キー群から入力された操作信号を制御部１０１に出力する。
【００５６】
具体的には、タッチパネル５０２は、予約部として、ユーザがジョブを予約する際に操作される。ジョブの予約は、ユーザが、表示部５０１に表示されたジョブ予約画面上でタッチパネル５０２を操作して、ジョブの設定情報を設定することで行われる。
【００５７】
また、タッチパネル５０２は、ユーザが、表示部５０１にジョブスケジューリング画面Ｇ１の表示要求を行う際に操作される。タッチパネル５０２において、ジョブスケジューリング画面Ｇ１の表示要求が行われると、操作表示制御部５０３は、この操作に基づく操作信号を制御部１０１に出力する。タッチパネル５０２からの表示要求を受けた制御部１０１は、ジョブスケジューリング画面Ｇ１の表示タイミングであると判断して、ジョブスケジューリング画面Ｇ１を表示部５０１に表示する。
【００５８】
また、タッチパネル５０２は、第１操作部として、ユーザがトレイ情報の設定を変更するための設定変更画面Ｇ２の表示を指示する際に操作される。
具体的には、設定変更画面Ｇ２は、表示部５０１にジョブスケジューリング画面Ｇ１が表示された状態で、ユーザが、ジョブスケジューリング画面Ｇ１上のトレイ設定変更ボタン５０４を操作することで表示される。
【００５９】
また、タッチパネル５０２は、第２操作部として、ユーザがトレイ情報の設定変更を行う際に操作される。
具体的には、トレイ情報の設定変更は、表示部５０１に設定変更画面Ｇ２が表示された状態で、ユーザが、設定変更画面Ｇ２上のトレイ選択ボタンＢ１〜Ｂ９、トレイ情報選択ボタン５０５、及び設定完了ボタン５０６を操作することで行われる。
【００６０】
ここで、ジョブの設定情報には、トレイ設定情報、用紙設定情報、及び用紙の使用予定枚数、等が含まれる。トレイ設定情報とは、ジョブが使用する給紙トレイを設定する情報であり、具体的には、給紙トレイＦＴ１〜ＦＴ９、ポストインサータＰＩ１、ＰＩ２のうちの何れか一又は複数のトレイを、ジョブが使用する給紙トレイとして設定する情報である。また、用紙設定情報とは、ジョブが使用する用紙を設定する情報であり、具体的には、ジョブが使用する用紙の紙種、用紙サイズ、坪量を設定する情報である。
ユーザは、表示部５０１に表示されたジョブ予約画面上でタッチパネル５０２を操作して、ジョブの設定情報として、トレイ設定情報（例えば、給紙トレイＦＴ１）及び用紙設定情報（例えば、普通紙・Ａ４判・６２−７１ｇ／ｍ2）の何れか一方又は両方を設定することにより、ジョブが使用する給紙トレイ及び／又は用紙を設定する。また、ジョブの設定情報として、トレイ設定情報が設定されずに用紙設定情報のみが設定された場合、すなわち、給紙トレイが設定されずに用紙が設定された場合には、上記したトレイ情報テーブル１０４ａに基づいて、設定された用紙を収納する給紙トレイが自動的に選択されることとなる。
【００６１】
このようなジョブの設定情報は、ジョブ予約画面上におけるタッチパネル５０２の操作により設定され、その他の情報（モード、ユーザ名、ファイル名、後処理モード、排紙トレイＥＴ１、ＥＴ２等の情報）とともに、操作表示制御部５０３を介して制御部１０１に出力され、不揮発メモリ１０４に実行予約順とともに格納される。これにより、当該ジョブの予約が完了することとなる。
【００６２】
画像形成部６００は、搬送部６１０、ＬＤ(Laser Diode)部６２０、プリンタ制御部６３０を備えて構成され、書き込み処理部１０６から入力された画像データに基づいて用紙に画像を形成する。
【００６３】
搬送部６１０は、ＬＤ部６２０内の搬送経路に従って用紙を搬送するための給紙ローラ６１１、レジストローラ６１２、排紙ローラ６１３をはじめとする各種ローラ、搬送路切換板６１４及び反転部６１５等を備える。搬送部６１０は、プリンタ制御部６３０からの制御に基づいて、ジョブの予約情報Ｒｎに応じた給紙トレイから、用紙を給紙して、給紙された用紙を搬送経路に従って搬送する。
また、ＬＤ部６２０の搬送経路上には、図示しない複数のセンサが設けられている。これらのセンサは、用紙が通過する際に検出信号を発生し、これをプリンタ制御部６３０に出力する。
【００６４】
ＬＤ部６２０は、ＬＤ６２１、感光体ドラム６２２、帯電部６２３、現像部６２４、転写部６２５、定着部６２６等を備える。
ＬＤ部６２０は、プリンタ制御部６３０からの指示に基づいて、ＬＤ部６２０の感光体ドラム６２２表面を帯電部６２３により帯電させ、書き込み処理部１０６から入力されたＰＷＭ信号に基づいてＬＤ６２１により感光体ドラム６２２表面にレーザ光を照射することにより静電潜像を形成する。そして、現像部６２４において感光体ドラム６２２表面の静電潜像を含む領域にトナーを付着させ、転写部６２５により用紙にトナーを転写して画像を形成する。そして、転写された画像を定着部６２６で定着させた後、画像形成済みの用紙を排紙ローラ６１３により後処理部３０へ搬送する。
【００６５】
プリンタ制御部６３０は、制御部１０１からの制御信号を受信して、ＬＤ部６２０の各部の動作を制御する。また、プリンタ制御部６３０は、搬送経路上に設けられたセンサからの検出信号に基づいて、給紙した用紙の枚数をカウントし、制御部１０１に出力する。
また、プリンタ制御部６３０は、各ジョブの実行中に、給紙ローラ６１１付近に設けられたセンサ（図示省略）から出力されるセンサ信号をカウントすることにより、給紙した用紙の枚数をカウントし、制御部１０１に出力する。
【００６６】
図４に、表示部５０１に表示されるジョブスケジューリング画面Ｇ１を示す。
図４のジョブスケジューリング画面Ｇ１には、互いに直交する２つの軸を有する二次元の表が表示されている。
縦軸である第１軸は、給紙トレイ（給紙トレイＴ１〜Ｔ９、ポストインサータＰＩ１、ＰＩ２）毎のトレイ情報を示しており、横軸である第２軸は、用紙の使用予定枚数を示している。また、二次元の表上には、各ジョブの予約情報Ｒ１〜Ｒ７が表示されている。なお、下記の説明においては、ジョブスケジューリング画面Ｇ１の第２軸を用紙の使用予定枚数として説明するが、用紙の使用予定枚数の変わりにジョブの実行予定時間としても良い。
【００６７】
第１軸のトレイ情報は、トレイ情報テーブル１０４ａと連動しており、トレイ情報テーブル１０４ａのトレイ情報が変更されると、ジョブスケジューリング画面Ｇ１も更新されることとなる。また、予約情報Ｒ１〜Ｒ７とは、後述するように、使用する給紙トレイに対応する第１軸上の位置、且つ、用紙の使用予定枚数に相当する長さの第２軸上の位置から成る領域に表示されることにより、使用する給紙トレイ及び用紙の使用予定枚数を示す情報である。
【００６８】
また、第１軸には、ジョブの設定情報に一致するトレイ情報が無いジョブの予約情報Ｒｎを表示させるための表示欄として「該当用紙なし」が備えられる。例えば、ジョブの設定情報として用紙のみが設定され、設定された用紙自体が給紙トレイの何れにも収納されていない場合のジョブの予約情報Ｒ２が表示される。
【００６９】
なお、図４のジョブスケジューリング画面Ｇ１では、実行中のジョブも、予約されたジョブとして、その予約情報Ｒ２が表示されている。実行中のジョブについては、ジョブスケジューリング画面Ｇ１の表示／更新タイミングにおける用紙の残枚数が、用紙の使用予定枚数とされている。
【００７０】
具体的には、ジョブスケジューリング画面Ｇ１上の第１軸は、給紙トレイＦＴ１〜ＦＴ９、ポストインサータＰＩ１、ＰＩ２のそれぞれに対応する１１つの行と、「該当用紙なし」に対応する１つの行とに分割されている。
また、第１軸における給紙トレイＦＴ１〜Ｆ９に対応する第１行〜第９行には、各給紙トレイＦＴに設けられた検出センサＤ・・・により検出される用紙の残量が概略表示されている。図４において、用紙残量は線の数で表現されている。
【００７１】
また、ジョブスケジューリング画面Ｇ１上の第２軸には、用紙の使用予定枚数を示す目盛りが表示されている。第２軸の原点はゼロ枚を示しており、１目盛りが１００枚を示している。
【００７２】
このようなジョブスケジューリング画面Ｇ１において、制御部１０１は、不揮発メモリ１０４に格納された各ジョブの設定情報（トレイ設定情報及び用紙設定情報）に基づいて、各ジョブが使用する給紙トレイを特定し、ジョブスケジューリング画面Ｇ１において、各ジョブの予約情報Ｒ１〜Ｒ７を、特定した給紙トレイに対応する第１軸上の位置（すなわち、第１〜１２行）に表示する。
また、制御部１０１は、不揮発メモリ１０４に格納された各ジョブの設定情報としての用紙の使用予定枚数に基づいて、ジョブスケジューリング画面Ｇ１における各ジョブの予約情報Ｒ１〜Ｒ７の第２軸方向の長さを、用紙の使用予定枚数に相当する長さとする。
このように、ジョブスケジューリング画面Ｇ１において、各ジョブの予約情報Ｒ１〜Ｒ７が、使用する給紙トレイに対応する第１軸上の位置、且つ、用紙の使用予定枚数に相当する長さの第２軸上の位置に表示されることにより、各ジョブ及びジョブ全体での、給紙トレイ毎の用紙の使用予定枚数が把握可能となっている。
【００７３】
すなわち、制御部１０１は、図４に示すように、実行予約順１番のジョブの予約情報Ｒ１を、使用する給紙トレイＦＴ１に対応する第１行に表示するとともに、この予約情報Ｒ１の第２軸方向の長さを、用紙の使用予定枚数「９００枚」に相当する９目盛り分の長さとすることで、実行予約順１番のジョブが、給紙トレイＦＴ１の用紙を９００枚使用することを認識可能としている。
また、制御部１０１は、実行予約順３番のジョブの予約情報Ｒ３を、使用する給紙トレイＦＴ２に対応する第２行に表示するとともに、この予約情報Ｒ３の第２軸方向の長さを、用紙の使用予定枚数「２３０枚」に対応する２．３目盛り分の長さとすることで、実行予約順３番のジョブが、給紙トレイＦＴ２の用紙を２３０枚使用することを認識可能としている。
また、制御部１０１は、実行予約順５番のジョブの予約情報Ｒ５を、使用する給紙トレイＦＴ４に対応する第４行に表示するとともに、この予約情報Ｒ５の第２軸方向の長さを、用紙の使用予定枚数「１４００枚」に対応する１４目盛り分の長さとすることで、実行予約順５番のジョブが、給紙トレイＦＴ４の用紙を１４００枚使用することを認識可能としている。
また、制御部１０１は、実行予約順４番の予約情報Ｒ４を、使用する給紙トレイＦＴ７に対応する第７行に表示するとともに、この予約情報Ｒ４の第２軸方向の長さを、用紙の使用予定枚数「４７０枚」に対応する４．７目盛り分の長さとすることで、実行予約順４番のジョブが、給紙トレイＦＴ７の用紙を４７０枚使用することを認識可能としている。
また、制御部１０１は、実行予約順６番のジョブについて、その予約情報Ｒ６を、使用する給紙トレイＦＴ１に対応する第１行に表示するとともに、この予約情報Ｒ６の第２軸方向の長さを、用紙の使用予定枚数「９５０枚」に対応する９．５目盛り分の長さとすることで、実行予約順６番のジョブが、給紙トレイＦＴ１の用紙を９５０枚使用することを認識可能としている。
【００７４】
また、制御部１０１は、実行予約順７番のジョブについて、その予約情報Ｒ７を、使用する給紙トレイＦＴ９、ポストインサータＰＩ１、ＰＩ２に対応する第９〜１１行に表示することにより、実行予約順７番のジョブが給紙トレイＦＴ１から給紙される用紙に画像形成を行うとともに、これらの用紙の間にポストインサータＰＩ１、ＰＩ２から給紙される用紙を挿入すること、また、何枚目にポストインサータＰＩ１、ＰＩ２からの用紙を挿入するかを認識可能としている。
また、制御部１０１は、実行予約順２番の予約情報Ｒ２を、「該当用紙なし」に対応する第１２行に表示するとともに、この予約情報Ｒ２の第２軸方向の長さを、用紙の使用予定枚数「４００枚」に対応する４目盛り分の長さとすることで、実行予約順２番のジョブが、収納されていない用紙を４００枚使用することを認識可能としている。
【００７５】
また、制御部１０１は、各ジョブについて、前述したように、使用予定の用紙の残量が使用予定量に足りるか否かを判断し、用紙不足と判断した場合には、ジョブスケジューリング画面Ｇ１における当該ジョブの予約情報Ｒｎを、その不足枚数を認識可能に表示部５０１に表示する。これにより、ジョブスケジューリング画面Ｇ１上で、用紙不足となるジョブを一目で容易に認識可能となる。
【００７６】
具体的には、制御部１０１は、用紙不足とならないジョブについて、その予約情報Ｒｎの全てを、第１の色（例えば、青色）で表示する。
例えば、実行予約順１番のジョブの設定情報として、給紙トレイＦＴ１と用紙の使用予定枚数「９００枚」が指定された場合に、制御部１０１は、給紙トレイＦＴ１に設けられた検出センサＤにより検出される用紙残量と、同一の給紙トレイＦＴ１を使用する、実行予約順が前のジョブの使用予定枚数と、に基づいて、そのジョブの実行開始時点における用紙残量を算出する。すなわち、検出センサＤにより検出された用紙残量が「１７００枚」であり、同一の給紙トレイＦ１を使用する実行予約順が前のジョブが存在しない場合、実行予約順１番のジョブの実行開始時点における給紙トレイＦＴ１の用紙残量は「１７００枚」である。さらに、制御部１０１は、実行予約順１番のジョブの実行開始時点における給紙トレイＦＴ１の用紙残量「１７００枚」と、ジョブの用紙の使用予定枚数「９００枚」とを比較して、そのジョブの実行開始時点における給紙トレイＦＴ１の用紙残量「１７００枚」が、ジョブの用紙の使用予定枚数「９００枚」以上であると判断すると、そのジョブの予約情報Ｒ１を全て青色で表示する。
このように、ジョブスケジューリング画面Ｇ１において、ジョブの予約情報Ｒ１が全て第１の色で表示されることにより、ユーザは、このジョブの画像形成処理が全て実行可能であることを容易に認識することができる。
【００７７】
また、制御部１０１は、ジョブの設定情報に一致するトレイ情報が無いジョブの予約情報Ｒｎを全て第２の色（例えば、茶色）で表示する。
例えば、実行予約順２番のジョブの設定情報として、何れの給紙トレイＦＴ１〜ＦＴ９にも収容する設定となっていない用紙「普通紙・Ｂ５・５０−６１ｇ／ｍ2」が設定された場合、制御部１０１は、このジョブの予約情報Ｒ２を、「該当用紙無し」と表示された第１軸上の第１２行に茶色で表示する。
このように、ジョブスケジューリング画面Ｇ１において、ジョブの予約情報Ｒ２が、設定された用紙に対応する給紙トレイが無いことを示す第１軸上の位置に第２の色で表示されることにより、ユーザは、このジョブの設定情報として使用不可能な用紙を設定したことを容易に認識することができる。
【００７８】
また、制御部１０１は、用紙不足となるジョブの予約情報Ｒｎのうち、用紙残量に相当する第２軸方向の長さ分の表示領域を、第１の色（例えば、青色）で表示するとともに、用紙の不足量に相当する第２軸方向の長さ分の表示領域を、第３の色（例えば、赤色）で表示する。
【００７９】
例えば、実行予約順６番のジョブの設定情報として、給紙トレイＦＴ１と用紙の使用予定枚数「９５０枚」が指定された場合に、制御部１０１は、給紙トレイＦＴ１に設けられた検出センサＤ・・・により検出される用紙残量と、同一の給紙トレイＦＴ１を使用する、実行予約順が前のジョブの使用予定枚数と、に基づいて、そのジョブの実行開始時点における用紙残量を算出する。すなわち、検出センサＤ・・・により検出された用紙残量が「１７００枚」であり、同一の給紙トレイＦ１を使用する実行予約順１番のジョブの使用予定枚数が「９００枚」である場合、実行予約順６番のジョブの実行開始時点における給紙トレイＦＴ１の用紙残量は「８００枚」である。さらに、制御部１０１は、実行予約順６番のジョブの実行開始時点における給紙トレイＦＴ１の用紙残量「８００枚」と、ジョブの用紙の使用予定枚数「９５０枚」とを比較して、そのジョブの実行開始時点における給紙トレイＦＴ１の用紙残量「８００枚」が、ジョブの用紙の使用予定枚数「９５０枚」に満たないと判断すると、使用予定枚数と用紙残量との差分を算出する。そして、そのジョブの予約情報Ｒｎにおいて、用紙残量に相当する第２軸方向の長さ分の表示領域を青色で表示する。また、使用予定枚数と用紙残量との差分「１５０枚」を不足量として、不足量に相当する第２軸方向の長さ分、すなわち、１．５目盛り分の表示領域を赤色で表示する。
【００８０】
このように、ジョブスケジューリング画面Ｇ１において、ジョブの予約情報Ｒｎが、設定されたトレイ又は用紙の設定に基づいて選択された給紙トレイの用紙残量が１枚以上であり、且つ、用紙の使用予定枚数以下であることを示す第１の色と第２の色で表示されることにより、ユーザは、このジョブの設定情報として設定したトレイ又は設定した用紙に対応する給紙トレイの用紙残量が不足していることを容易に認識することができる。また、ジョブの予約情報Ｒｎのうち、不足量に対応する長さ分の表示領域が第２の色で表示されることにより、用紙の不足量を容易に認識することができる。
【００８１】
また、制御部１０１は、不揮発メモリ１０４に格納された各ジョブの設定情報に基づいて、実行予約順に、各ジョブの使用予定枚数を積算する。そして、ジョブスケジューリング画面Ｇ１において、各ジョブの予約情報Ｒｎを、そのジョブより実行予約順が前のジョブの使用予定枚数を積算した第２軸方向の位置に表示することで、各ジョブの実行中の任意の時点における用紙の使用予定枚数の累計を把握可能としている。
【００８２】
具体的には、図４に示すように、制御部１０１は、実行予約順が１番のジョブの予約情報Ｒ１を、第２軸の原点を始点として、始点から第２軸方向に、そのジョブの用紙の使用予定枚数「９００枚」に対応する９目盛り分進んだ位置を終点とする第２軸上の位置に表示する。
【００８３】
次いで、制御部１０１は、実行予約順が２番のジョブの予約情報Ｒ２を、実行予約順１番のジョブの使用予定枚数「９００枚」を示す第２軸上の位置（すなわち、原点から９目盛り分進んだ位置）を始点として、始点から第２軸方向に、そのジョブの用紙の使用予定枚数「４００枚」に対応する４目盛り分進んだ位置（すなわち、原点から１３目盛り進んだ位置）を終点とする第２軸上の位置に表示する。
【００８４】
次いで、制御部１０１は、実行予約順１、２番のジョブにおける用紙の使用予定枚数の積算値「１３００枚」を算出する。そして、実行予約順が３番のジョブの予約情報Ｒ３を、実行予約順が前のジョブの使用予定枚数の積算値「１３００枚」を示す第２軸上の位置（すなわち、原点から１３目盛り分進んだ位置）を始点として、始点から第２軸方向に、そのジョブの用紙の使用予定枚数「２３０枚」に対応する２．３目盛り分進んだ位置（すなわち、原点から１５．３目盛り分進んだ位置）を終点とする第２軸上の位置に表示する。
【００８５】
次いで、制御部１０１は、実行予約順１番〜３番のジョブにおける用紙の使用予定枚数の積算値「１５３０枚」を算出する。そして、実行予約順が４番のジョブの予約情報Ｒ４を、実行予約順が前のジョブの使用予定枚数の積算値「１５３０枚」を示す第２軸上の位置（すなわち、原点から１５．３目盛り分進んだ位置）を始点として、始点から第２軸方向に、そのジョブの用紙の使用予定枚数「４７０枚」に対応する４．７目盛り分進んだ位置（すなわち、原点から２０目盛り分進んだ位置）を終点とする第２軸上の位置に表示する。
【００８６】
次いで、制御部１０１は、実行予約順が１番〜４番のジョブにおける用紙の使用予定枚数の積算値「２０００枚」を算出する。そして、実行予約順が５番のジョブの予約情報Ｒ５を、実行予約順が前のジョブの使用予定枚数の積算値「２０００枚」を示す第２軸上の位置（すなわち、原点から２０目盛り分進んだ位置）を始点として、始点から第２軸方向に、そのジョブの用紙の使用予定枚数「１４００枚」に対応する１４目盛り分進んだ位置（すなわち、原点から３４目盛り分進んだ位置）を終点とする第２軸上の位置に表示する。
【００８７】
次いで、制御部１０１は、実行予約順が１番〜５番のジョブにおける用紙の使用予定枚数の積算値「３４００枚」を算出する。そして、実行予約順が６番のジョブの予約情報Ｒ６を、実行予約順が前のジョブの使用予定枚数の積算値「３４００枚」を示す第２軸上の位置（すなわち、原点から３４目盛り分進んだ位置）を始点として、始点から第２軸方向に、そのジョブの用紙の使用予定枚数「９５０枚」に対応する９．５目盛り分進んだ位置（すなわち、原点から４３．５目盛り分進んだ位置）を終点とする第２軸上の位置に表示する。
【００８８】
次いで、制御部１０１は、実行予約順が１番〜６番のジョブにおける用紙の使用予定枚数の積算値「４３５０枚」を算出する。そして、実行予約順が７番のジョブの予約情報Ｒ７を、実行予約順が前のジョブの使用予定枚数の積算値「４３５０枚」を示す第２軸上の位置（すなわち、原点から４３．５目盛り分進んだ位置）を始点とし、このジョブの用紙の使用予定枚数が、第２軸方向の残りの６．５目盛り分に対応する枚数「６５０枚」以上であるために、二次元の表の右端を終点とする第２軸上の位置に表示する。
【００８９】
また、制御部１０１は、第２軸方向に、各ジョブの区切りを示す区切り線Ｓａ〜Ｓｆを、第１軸に平行に表示することで、各ジョブの予約情報Ｒ１〜Ｒ７を個別に区別可能としている。
【００９０】
すなわち、制御部１０１は、図４に示すように、実行予約順１番のジョブの予約情報Ｒ１と２番のジョブの予約情報Ｒ２との境目に、区切り線Ｓａを表示する。また、実行予約順２番のジョブの予約情報Ｒ２と３番のジョブの予約情報Ｒ３との境目に、区切り線Ｓｂを表示する。また、実行予約順３番のジョブの予約情報Ｒ３と４番のジョブの予約情報Ｒ４との境目に、区切り線Ｓｃを表示する。また、実行予約順４番のジョブの予約情報Ｒ４と５番のジョブの予約情報Ｒ５との境目に、区切り線Ｓｄを表示する。また、実行予約順５番のジョブの予約情報Ｒ５と６番のジョブの予約情報Ｒ６との境目に、区切り線Ｓｅを表示する。また、実行予約順６番のジョブの予約情報Ｒ６と７番のジョブの予約情報Ｒ７との境目に、区切り線Ｓｆを表示する。これにより、実行予約順１番〜７番の各ジョブを、実行予約順が前後のジョブと区別して把握できることとなる。
【００９１】
また、制御部１０１は、所定の更新タイミングに、第２軸の原点を現時点として、ジョブスケジューリング画面Ｇ１における各予約情報Ｒの表示位置を更新する。
【００９２】
ここで、所定の更新タイミングは、トレイ情報の設定変更をしたとき、所定枚の用紙に対する画像形成処理が終了したとき、又は、前回の更新タイミングから所定時間が経過したときであり、どのタイミングをジョブスケジューリング画面Ｇ１の更新タイミングとするかは、図示しない設定画面上におけるタッチパネル５０２の操作により、ユーザが予め設定することができる。なお、ジョブスケジューリング画面Ｇ１の表示後、一度も更新タイミングが到来していない場合には、ジョブスケジューリング画面Ｇ１の表示タイミングが前回の更新タイミングとされる。
【００９３】
所定毎の用紙に対する画像形成処理が終了したときを更新タイミングと設定する場合には、さらに、何枚毎に更新を行うかを設定することができる。ユーザは、例えば、１枚、１０枚、１００枚毎に、ジョブスケジューリング画面Ｇ１の更新を行うように設定することができる。
一方、前回の更新タイミングから所定時間が経過したときを更新タイミングと設定する場合には、さらに、何秒／分／時間毎に更新を行うかを設定することができる。ユーザは、例えば、１０秒、６０秒、１０分毎に、ジョブスケジューリング画面Ｇ１の更新を行うように設定することができる。
ユーザにより設定された更新タイミングに関する情報は、操作表示制御部５０３を介して制御部１０１に出力され、不揮発メモリ１０４に格納されることとなる。
【００９４】
また、制御部１０１は、表示部５０１に予約された複数のジョブの予約情報Ｒ１〜Ｒ７を表示したジョブスケジューリング画面Ｇ１を表示した状態において、トレイ設定変更ボタン５０４が操作された場合に、ジョブスケジューリング画面上に、給紙トレイＦＴ１〜ＦＴ９の設定変更を行う設定変更画面Ｇ２を表示させる。
【００９５】
図５に、ジョブスケジューリング画面Ｇ１上に表示された設定変更画面Ｇ２を示す。
設定変更画面Ｇ２は、設定変更を行いたい給紙トレイＦＴ１〜ＦＴ９の選択を行うトレイ選択ボタンＢ１〜Ｂ９と、設定変更を行いたいトレイ情報の選択を行うトレイ情報選択ボタン５０５と、を備えている。
【００９６】
例えば、ユーザが、図５の設定変更画面Ｇ２上で、「トレイ３」を選択するためのトレイ選択ボタンＢ３を操作した場合、給紙トレイＦＴ３に現在格納された用紙のトレイ情報が「現在の設定」として表示される。次いで、ユーザが、図５の設定変更画面Ｇ２上で、トレイ情報選択ボタン５０５を操作してトレイ情報を変更した場合、この変更後のトレイ情報が「予約の設定」として表示される。
【００９７】
制御部１０１は、各給紙トレイＦＴ１〜ＦＴ９の検出センサＤ・・・によって、設定変更画面Ｇ２上で変更されたトレイ情報が各給紙トレイＦＴ１〜ＦＴ９に実際に収納された用紙に一致しているか否かを判断しており、一致しない状態で設定変更画面Ｇ２上の設定完了ボタン５０６が操作された場合は、この操作を受け付けないようになっている。
また、制御部１０１は、変更されたトレイ情報が各給紙トレイＦＴ１〜ＦＴ９に実際に収納された用紙に一致した状態で設定変更画面Ｇ２上の設定完了ボタン５０６が操作された場合は、変更された給紙トレイ（例えば、給紙トレイＦＴ３）について情報テーブル１０４ａのトレイ情報を書き換える。
また、制御部１０１は、上記のように設定変更画面Ｇ２上で設定変更が行われて、設定完了ボタン５０６が操作された場合であっても、給紙トレイＦＴ４〜ＦＴ９の少なくとも１つの開閉がなされない場合には変更を受け付けないようになっている。
このように、ユーザの行った設定変更と、トレイ情報の変更された給紙トレイＦＴ３に実際に収納された用紙とが一致するか検出することによって、誤操作を防止することができる。
【００９８】
次に、図６を参照しながら、給紙トレイＦＴ１〜ＦＴ９の設定変更処理の流れについて説明する。
なお、この処理は、表示部５０１にジョブスケジューリング画面Ｇ１が表示されている間、常時実行可能である。
【００９９】
まず、図６のステップＳ１０１において、制御部１０１は、トレイ設定変更ボタン（第１操作部）５０４が操作されたか否かを判断する。ステップＳ１０１において、制御部１０１は、トレイ設定変更ボタン５０４が操作されていないと判断すると（ステップＳ１０１；Ｎｏ）、ステップＳ１０１に戻る。
【０１００】
一方、ステップＳ１０１において、制御部１０１は、トレイ設定変更ボタン５０４が操作されていると判断すると（ステップＳ１０１；Ｙｅｓ）、続くステップＳ１０２において、表示部５０１に表示されたジョブスケジューリング画面Ｇ１上に、設定変更画面Ｇ２を表示する。
【０１０１】
次いで、ステップＳ１０３において、ユーザにより、設定を変更する給紙トレイ（例えば、給紙トレイＦＴ３とする。）が選択され、その給紙トレイＦＴ３のトレイ情報が設定変更される。また、ユーザにより、設定変更された給紙トレイＦＴ３内に収納された用紙が変更される。
【０１０２】
次いで、ステップＳ１０４において、制御部１０１は、設定完了ボタン（第２操作部）５０６が操作されたか否かを判断する。ステップＳ１０４において、制御部１０１は、設定完了ボタン５０６が操作されていないと判断すると（ステップＳ１０４；Ｎｏ）、ステップＳ１０４に戻る。
【０１０３】
一方、ステップＳ１０４において、制御部１０１は、設定完了ボタン５０６が操作されたと判断すると（ステップＳ１０４；Ｙｅｓ）、続くステップＳ１０５において、設定変更された給紙トレイＦＴ３内に実際に収納された用紙と、ユーザにより設定変更されたトレイ情報とが一致するか否かを判断する。ステップＳ１０５において、制御部１０１は、設定変更された給紙トレイ内に収納された用紙と、設定変更されたトレイ情報とが一致しないと判断すると（ステップＳ１０５；Ｎｏ）、続くスステップＳ１０６において、表示部５０１に、設定変更された給紙トレイＦＴ３内に実際に収納された用紙と、設定変更されたトレイ情報とが一致しないことをユーザに報知するための「エラー」の文字を表示して、上記ステップＳ１０３に戻る。なお、「エラー」の文字を表示する代わりに警告音を発するようにしても良い。
【０１０４】
一方、ステップＳ１０５において、制御部１０１は、設定変更された給紙トレイ内に収納された用紙と、設定変更されたトレイ情報とが一致すると判断すると（ステップＳ１０５；Ｙｅｓ）、続くステップ１０７において、上記ステップ１０３にてなされた設定変更を受け付ける。
【０１０５】
次いで、ステップＳ１０８において、制御部１０１は、ジョブスケジューリング画面Ｇ１の更新を行い、本処理を終了する。
【０１０６】
次に、図７を参照しながら、ジョブスケジューリング画面Ｇ１の更新処理の流れについて説明する。
【０１０７】
まず、図７のステップＳ２０１において、制御部１０１は、予め設定された更新タイミングの何れかであるか否かを判断する。ステップＳ２０１において、制御部１０１は、更新タイミングの何れでもないと判断すると（ステップＳ２０１；Ｎｏ）、ステップＳ２０１に戻る。
【０１０８】
一方、ステップＳ２０１において、制御部１０１は、更新タイミングの何れかであると判断すると（ステップＳ２０１；Ｙｅｓ）、続くステップＳ２０２において、検出センサＤ・・・により検出される現時点における各給紙トレイの用紙残量をトレイ情報テーブル１０４ａに収納する。
【０１０９】
次いで、ステップＳ２０３において、制御部１０１は、実行予約順Ｎ（Ｎの初期値＝１）番のジョブが使用する給紙トレイ（例えば、給紙トレイＦＴ１）を、当該ジョブの設定情報に基づいて特定する。すなわち、実行予約順Ｎ番のジョブの第１軸における位置を特定する。
【０１１０】
次いで、ステップＳ２０４において、制御部１０１は、実行予約順１番からＮ−１番までのジョブの用紙の使用予定枚数の積算値を算出し、第２軸の原点をゼロ枚として、算出した積算値に対応する第２軸上の位置を実行予約順Ｎ番の予約情報Ｒｎの始点として特定する。すなわち、実行予約順Ｎ番のジョブの第２軸における位置を特定する。
【０１１１】
次いで、ステップＳ２０５において、制御部１０１は、実行予約順Ｎ番のジョブが使用する用紙の使用予定枚数が、給紙トレイＦＴ１に収納された用紙の残量より少ないか否かを判断する。ステップＳ２０５において、制御部１０１は、使用予定枚数が用紙の残量より少ないと判断すると（ステップＳ２０５；Ｙｅｓ）、続くステップＳ２０６において、制御部１０１は、ジョブスケジューリング画面Ｇ１において、上記ステップＳ２０３、２０４で特定した位置から用紙の使用予定枚数に相当する長さ分の第２軸上の位置まで、実行予約順Ｎ番のジョブの予約情報Ｒｎを、全て第１の色で表示する。
【０１１２】
一方、ステップＳ２０５において、制御部１０１は、使用予定枚数が用紙の残量より多いと判断すると（ステップＳ２０５；Ｎｏ）、続くステップＳ２０７において、制御部１０１は、ジョブスケジューリング画面Ｇ１において、上記ステップＳ２０３、２０４で特定した位置から用紙残量分を第１の色で表示し、用紙の不足分を第２の色で表示する。
【０１１３】
次いで、ステップＳ２０８において、制御部１０１は、ジョブスケジューリング画面Ｇ１上に未表示のジョブがあるか否かを判断する。ステップＳ２０８において、制御部１０１は、未表示のジョブが有ると判断すると（ステップＳ２０８；Ｙｅｓ）、上記ステップＳ２０３に戻りステップＳ２０３移行の処理を繰り返す。
一方、ステップＳ２０８において、制御部１０１は、未表示のジョブが無いと判断すると（ステップＳ２０８；Ｎｏ）、本処理を終了する。
【０１１４】
なお、上記ステップＳ２０１〜Ｓ２０８の処理は、ジョブスケジューリング画面Ｇ１の更新処理の流れについて説明したものであるが、ジョブスケジューリング画面Ｇ１の表示要求に基づく表示タイミングである場合にも同様の処理が行われる。
【０１１５】
上述したように、本実施形態の画像形成装置１によれば、給紙トレイ（（給紙トレイＦＴ１〜ＦＴ９、ポストインサータＰＩ１、ＰＩ２）と、これらの給紙トレイ毎のトレイ情報と、ジョブの予約情報Ｒ１〜Ｒ７と、の関係を一目で把握可能に表示させることで、各給紙トレイの設定を事前に把握できるとともに、ジョブスケジューリング画面Ｇ１上で給紙トレイの設定変更画面Ｇ２の表示指示ができるため、給紙トレイの設定変更を迅速に行うことができ、装置を効率よく稼働させることができる。
また、ジョブスケジューリング画面Ｇ１上に設定変更画面Ｇ２を表示させた場合に、各給紙トレイＦＴ１〜ＦＴ９に収納された用紙の種類、サイズ、坪量、及び残量を含むトレイ情報の設定を変更することができる。
【０１１６】
また、ジョブスケジューリング画面Ｇ１において、複数のジョブの実行順序と、各ジョブで使用する用紙と、その用紙の収納された給紙トレイとを一目で把握することができる。
また、ジョブスケジューリング画面Ｇ１の第１軸に「該当用紙なし」を備えることによって、使用予定のトレイ情報と一致する給紙トレイ情報が存在しないジョブが存在するのを認識することができる。
また、残量検出部により検出された残量がジョブの使用予定枚数に満たない場合に、ジョブスケジューリング画面Ｇ１における当該ジョブの予約情報Ｒｎにおいて、予約情報Ｒｎの表示領域のうち、用紙の不足量に相当する第２軸方向の長さ分の表示領域の表示が、他の表示領域の表示と異ならせて、用紙の不足量が表示されるため、予約されたジョブ毎に、使用する用紙の不足量を把握できることとなる。
【０１１７】
また、所定の更新タイミングに、ジョブスケジューリング画面Ｇ１が更新されるため、所定の更新タイミング毎に、予約された各ジョブの現時点での用紙の使用予定枚数、用紙不足枚数を、トレイ情報毎に把握できることとなる。
具体的には、トレイ情報の設定変更を行う度、所定枚の用紙に対する画像形成処理を行う度、又は所定時間が経過する度に、予約された各ジョブの現時点での用紙の使用予定枚数を、トレイ情報毎に把握できることとなる。
【０１１８】
なお、本実施形態においては、トレイ設定変更ボタン５０４や設定完了ボタン５０６はジョブスケジューリング画面Ｇ１や設定変更画面Ｇ２上に備えられたものとして説明しているが、予め操作表示部５００に設けられたキーであっても良い。
【図面の簡単な説明】
【０１１９】
【図１】本実施形態の画像形成装置の概略構成を示す正面図である。
【図２】画像形成装置の機能的構成を示すブロック図である。
【図３】トレイ情報を記憶するトレイ情報テーブルを例示する図である。
【図４】ジョブスケジューリング画面を例示する図である。
【図５】設定変更画面を例示する図である。
【図６】給紙トレイの設定変更処理の流れを示すフローチャートである。
【図７】ジョブスケジューリング画面更新処理の流れを示すフローチャートである。
【図８】従来の画像形成装置におけるジョブリスト画面を例示する図である。
【図９】従来の画像形成装置における給紙トレイ画面を例示する図である。
【符号の説明】
【０１２０】
１              画像形成装置
１０１          制御部
５０１          表示部
４００、５０２          予約部
５０４          第１操作部
５０６          第２操作部
６００          画像形成部
ＦＴ１〜ＦＴ９  給紙トレイ
Ｄ              残量検出部（検出センサ）
Ｇ１            ジョブスケジューリング画面
Ｇ２            設定変更画面
【図１】
2010046839.tif 000003
【図２】
2010046839.tif 000004
【図３】
2010046839.tif 000005
【図４】
2010046839.tif 000006
【図５】
2010046839.tif 000007
【図６】
2010046839.tif 000008
【図７】
2010046839.tif 000009
【図８】
2010046839.tif 000010
【図９】
2010046839.tif 000011